(57)【要約】【課題】液晶表示パネルとバックライト装置とを所定の強度以上で固定できると共に、額縁領域の幅を小さくすることが可能な液晶表示装置を提供すること。【解決手段】  液晶層を介して一対の透明基板が対向配置されてなる液晶表示パネルと、前記液晶表示パネルの裏面に配置され、バックライト光を照射するバックライトユニットとを備える液晶表示装置であって、前記液晶表示パネルの側壁面と前記バックライトユニットの側壁面とに対向する板状部材を有し、前記板状部材は、前記液晶表示パネルの前記側壁面及び前記バックライトユニットの前記側壁面とに固定されていることを特徴とする液晶表示装置。【選択図】  図２
2014126685.tif 000002
【特許請求の範囲】
【請求項１】
液晶層を介して一対の透明基板が対向配置されてなる液晶表示パネルと、前記液晶表示パネルの裏面に配置され、バックライト光を照射するバックライトユニットとを備える液晶表示装置であって、
前記バックライトユニットは、導光板と、前記導光板の側面に対向する光源と、前記導光板の照射面側に配置される複数の光学シートと、前記導光板と前記光学シート外周を取り囲むモールド部材とを有し、
前記一対の透明基板少なくとも一方の基板は、第１の側壁面を有し、
前記モールド部材は、第２の側壁面を有し、
前記第１の側壁面と前記第２の側壁面とに対向して板状部材が配置され、
前記板状部材は、前記第１の側壁面と前記第２の側壁面とに固定されていることを特徴とする液晶表示装置。
【請求項２】
液晶層を介して一対の透明基板が対向配置されてなる液晶表示パネルと、前記液晶表示パネルの裏面に配置され、バックライト光を照射するバックライトユニットとを備える液晶表示装置であって、
前記液晶表示パネルの側壁面と前記バックライトユニットの側壁面とに対向して板状部材が配置され、
前記板状部材は、前記液晶表示パネルの前記側壁面及び前記バックライトユニットの前記側壁面とに固定されていることを特徴とする液晶表示装置。
【請求項３】
前記板状部材は、粘着材によって前記液晶表示パネルの前記側壁面及び前記バックライトユニットの前記側壁面とに固定されていることを特徴とする請求項２に記載の液晶表示装置。
【請求項４】
前記液晶表示パネルの前記側壁面は、前記透明基板の側壁面であることを特徴とする請求項２または請求項３に記載の液晶表示装置。
【請求項５】
前記バックライトユニットは、導光板と、前記導光板の側面に対向する光源と、前記導光板の照射面側に配置される複数の光学シートと、前記導光板と前記光学シート外周を取り囲むモールド部材とを有し、
前記バックライトユニットの前記側壁面は、前記モールド部材の側壁面であることを特徴とする請求項２から請求項４の何れか１項に記載の液晶表示装置。
【請求項６】
前記板状部材は、ヤング率が前記モールド部材よりも大きいことを特徴とする請求項5に記載の液晶表示装置。
【請求項７】
前記液晶表示パネルは、表示面側と裏面側とに配置される一対の偏光板を有し、
前記一対の偏光板は、前記板状部材と接していないことを特徴とする請求項２から請求項６の何れか１項に記載の液晶表示装置。
【請求項８】
前記液晶表示パネルは、表示面側と裏面側とに配置される一対の偏光板を有し、
前記一対の偏光板は、前記粘着材と接していないことを特徴とする請求項３に記載の液晶表示装置。
【請求項９】
前記板状部材を複数個有し、
前記液晶表示パネルの２辺以上の前記側壁面に、前記板状部材が固定されていることを特徴とする請求項２から請求項８の何れか１項に記載の液晶表示装置。
【請求項１０】
前記液晶表示パネルは、第1の辺と前記第１の辺と交差する第２の辺とを有し、
前記第1の辺の前記側壁面と前記第２の辺の前記側壁面とに、前記板状部材が固定されていることを特徴とする請求項９に記載の液晶表示装置。
【請求項１１】
前記液晶表示パネルは、前記一対の透明基板の少なくとも一方の透明基板の辺縁部に駆動回路が搭載されており、
前記第1の辺は、前記駆動回路が搭載された辺と交差する辺であり、
前記第２の辺は、前記駆動回路が搭載された辺と対向する辺であることを特徴とする請求項１０に記載の液晶表示装置。
【請求項１２】
前記板状部材は、前記液晶表示パネルの辺の全長に亘って、前記液晶表示パネルの前記側壁面と対向していることを特徴とする請求項２から請求項１１に記載の液晶表示装置。
【請求項１３】
前記板状部材は、前記液晶表示パネルの辺の一部で、前記液晶表示パネルの前記側壁面と対向していることを特徴とする請求項２から請求項１１に記載の液晶表示装置。
【請求項１４】
前記液晶表示パネルの少なくとも1つの辺において、複数個の前記板状部材が前記液晶表示パネルの前記側壁面と対向していることを特徴とする請求項２から請求項１１に記載の液晶表示装置。
【請求項１５】
前記板状部材は、ヤング率が２０００Ｍｐａ以上であることを特徴とする請求項２から請求項１４に記載の液晶表示装置。
【発明の詳細な説明】
【技術分野】
【０００１】
本発明は、液晶表示装置に係わり、特に、液晶表示パネルとバックライトユニットとを固定する技術に関する。
【背景技術】
【０００２】
従来の液晶表示装置は、図７に示すように、液晶表示パネルＬＣＤの図中下側の辺部には駆動回路ＤＲが搭載されると共に、駆動回路ＤＲよりも辺縁側にはフレキシブル配線基板ＦＰＣが接続されている。この液晶表示パネルＬＣＤの裏面には表示領域ＡＲを囲むようにして両面テープＴＰが配置されており、液晶表示パネルＬＣＤと光源となるバックライトユニットＢＵとが固定されている。
【０００３】
すなわち、図８（図７のＢ−Ｂ’線での断面図）及び図９（図７のＣ−Ｃ’線での断面図）に示すように、導光板ＬＧや光学シートＯＳを取り囲むように形成される枠体状のモールド部材ＭＤの上面と第１基板ＳＵＢ１の裏面とを両面テープＴＰで粘着することにより、第１基板ＳＵＢ１の裏面にバックライトユニットＢＵを固定する構成となっている。また、導光板ＬＧの裏面に配置される反射シートＲＦはモールド部材ＭＤに達する大きさで形成され、その周縁部が両面テープＴＰによりモールド部材ＭＤの裏面に固定される構成となっている。このとき、第１基板ＳＵＢ１表面及び第２基板ＳＵＢ２の液晶層と接しない側の面には、それぞれ偏光板ＰＯＬ１，ＰＯＬ２が配置されているので、両面テープＴＰによる液晶表示パネルＬＣＤとモールド部材ＭＤとの接着は偏光板ＰＯＬ１を介した接着となっている。
【０００４】
この構成からなる液晶表示装置は、例えば、特許文献１に開示の液晶表示装置がある。該特許文献１に開示される液晶表示装置においても、両面テープにより液晶表示パネルの裏面にバックライトユニットの上面を固定する構成となっている。特に、特許文献１の液晶表示装置では、下偏光板の辺端部とガラス基板の辺端部との間隔が大きく形成され、この領域に両面テープが貼り付けされる構成となっている。
【先行技術文献】
【特許文献】
【０００５】
【特許文献１】特開２００７−１６３５５６号公報
【発明の概要】
【発明が解決しようとする課題】
【０００６】
携帯電話等の携帯情報端末では、限られた筐体サイズでの画素数の向上や表示画面の拡大等のさらなる表示性能の向上が要望されている。このために、携帯情報端末に搭載される液晶表示装置においては、画素数の向上と共に表示領域ＡＲの周囲の領域である額縁領域の幅をさらに小さく形成することが切望されている。近年では、額縁領域幅が０．８ｍｍや０．６ｍｍの液晶表装置も要望されている。
【０００７】
しかしながら、従来の液晶表示装置では、前述するように、液晶表示パネルの額縁領域と対向するモールド部材ＭＤの前面に貼り付けた両面テープＴＰにより、バックライトユニットＢＵを液晶表示パネルＬＣＤの裏面に固定する構成となっている。このため、額縁領域幅がさらに小さくなった場合、図８，９の断面図から明らかなように、モールド部材ＭＤに液晶表示パネルＬＣＤを固定する両面テープＴＰの幅も小さくなる。この場合、モールド部材ＭＤと両面テープＴＰとの接着面積、及び液晶表示パネルＬＣＤと両面テープＴＰとの接着面積もそれぞれ小さくなってしまう。特に、図９に示す駆動回路ＤＲが搭載されない辺部においては、その接着面積は非常に小さくなってしまうので、所定の強度で固定することが困難となっている。従って、例えば両面テープＴＰを用いずに、液晶表示パネルＬＣＤとバックライトユニットＢＵとを固定する技術の開発が切望されている。
【０００８】
本発明はこれらの問題点に鑑みてなされたものであり、本発明の目的は、額縁領域で液晶表示パネルとバックライト装置とを所定の強度で固定することを可能とすると共に、額縁領域幅を小さくすることが可能な液晶表示装置を提供することにある。
【課題を解決するための手段】
【０００９】
（１）前記課題を解決すべく、本願発明の液晶表示装置は、液晶層を介して一対の透明基板が対向配置されてなる液晶表示パネルと、前記液晶表示パネルの裏面に配置され、バックライト光を照射するバックライトユニットとを備える液晶表示装置であって、前記液晶表示パネルの側壁面と前記バックライトユニットの側壁面とに対向して板状部材が配置され、前記板状部材は、前記液晶表示パネルの前記側壁面及び前記バックライトユニットの前記側壁面とに固定されていることを特徴とする液晶表示装置である。
【００１０】
（２）前記課題を解決すべく、本願発明の液晶表示装置は、液晶層を介して一対の透明基板が対向配置されてなる液晶表示パネルと、前記液晶表示パネルの裏面に配置され、バックライト光を照射するバックライトユニットとを備える液晶表示装置であって、前記バックライトユニットは、導光板と、前記導光板の側面に対向する光源と、前記導光板の照射面側に配置される複数の光学シートと、前記導光板と前記光学シート外周を取り囲むモールド部材とを有し、前記一対の透明基板少なくとも一方の基板は、第１の側壁面を有し、前記モールド部材は、第２の側壁面を有し、前記第１の側壁面と前記第２の側壁面とに対向して板状部材が配置され、前記板状部材は、前記第１の側壁面と前記第２の側壁面とに固定されていることを特徴とする液晶表示装置である。
【発明の効果】
【００１１】
本発明によれば、額縁領域で液晶表示パネルとバックライト装置とを所定の強度以上で固定できる。よって、液晶表示パネルの額縁領域幅を非常に小さくすることができる。
【００１２】
本発明のその他の効果については、明細書全体の記載から明らかにされる。
【図面の簡単な説明】
【００１３】
【図１】本発明の実施形態１の液晶表示装置の概略構成を説明するための平面図である。
【図２】図１に示すＡ−Ａ’線での断面図である
【図３】本発明の実施形態１の液晶表示装置における液晶表示パネル端部の断面図である。
【図４】本発明の実施形態２の液晶表示装置の概略構成を説明するための平面図である。
【図５】本発明の他の実施形態の液晶表示装置の概略構成を説明するための平面図である。
【図６】本発明のその他の実施形態の液晶表示装置の概略構成を説明するための平面図である。
【図７】従来の液晶表示装置の概略構成を説明するための平面図である。
【図８】図７に示すＢ−Ｂ’線での断面図である。
【図９】図７に示すＣ−Ｃ’線での断面図である。
【発明を実施するための形態】
【００１４】
以下、本発明が適用された実施形態について、図面を用いて説明する。ただし、以下の説明において、同一構成要素には同一符号を付し繰り返しの説明は省略する。
【００１５】
〈実施形態１〉
（全体構成）
図１は本発明の実施形態１の液晶表示装置の概略構成を説明するための平面図であり、以下、図１に基づいて、実施形態１の液晶表示装置の全体構成を説明する。
【００１６】
図１に示すように、実施形態１の液晶表示装置は、図中に点線で示す表示領域ＡＲを有する周知の液晶表示パネルＬＣＤと、該液晶表示パネルＬＣＤの裏面に配置される周知のバックライトユニットとを備えている。また、必要に応じて、一方の面が側壁面に沿って開口される箱体状の図示しないフレーム部材（下フレーム）がバックライトユニットＢＵの側に配置される。さらには、表示領域ＡＲに対応した開口面が形成される箱体状の図示しないフレーム部材（上フレーム）が液晶表示パネルＬＣＤの側に配置され、該上フレームと下フレームとが嵌合され、液晶表示パネルＬＣＤとバックライトユニットＢＵとを保持する構成としてもよい。
【００１７】
液晶表示パネルＬＣＤは、例えば、図示しない周知の薄膜トランジスタ等が形成される第１基板（ＴＦＴ基板とも称する）と、画素に対応して赤色（Ｒ），緑色（Ｇ），青色（Ｂ）のカラーフィルタ等が形成される第２基板（ＣＦ基板とも称する）とが図示しない液晶層を挟持して、対向配置される構成となっている。第１基板の対向面すなわち液晶層と接する側の面には、図中にＹ１，Ｙ２で示す長手方向に延在する図示しない複数の映像信号線（ドレイン線）と、Ｘ１，Ｘ２で示す短手方向に延在する複数の走査信号線（ゲート線）とが形成され、該ドレイン線とゲート線とで囲まれる領域が画素領域を形成している。また、ドレイン線とゲート線とが交差する近傍には、ゲート線からの走査信号でＯＮ／ＯＦＦ駆動される薄膜トランジスタが配置され、該薄膜トランジスタのＯＮ時にドレイン線からの映像信号が該薄膜トランジスタを介して画素電極に出力される。
【００１８】
一方、第２基板の対向面すなわち液晶層と接する側の面には、画素毎にＲＧＢの何れかのカラーフィルタが対応する構成となっており、ＲＧＢの画素でカラー表示用の単位画素を構成している。また、第２基板はＹ１側の辺が第１基板よりも小さく形成されている。この第２基板から露出する第１基板の対向面すなわち液晶層側の面に、外部から画像信号を入力する周知のフレキシブル配線基板ＦＰＣ、及び映像信号や走査信号等を生成する駆動回路ＤＲが搭載されている。
【００１９】
また、第１基板ＳＵＢ１及び第２基板ＳＵＢ２の露出側の面すなわち液晶層と接しない側の面には、それぞれ周知の偏光板ＰＯＬ１，ＰＯＬ２が貼り付けされている。該偏光板ＰＯＬ１，ＰＯＬ２は、従来と同様に、その端部が表示領域ＡＲよりも外周側に位置するように形成され、表示領域ＡＲを覆う構成となっている。
【００２０】
また、液晶表示パネルＬＣＤの裏面側には、面状のバックライト光を照射するバックライトユニットが配置されている。特に、実施形態１の液晶表示装置では、後に詳述するように、液晶表示パネルＬＣＤのＸ１側の端辺及びＸ２側の端辺すなわち長手側の対辺に配置される接続用のプレートＢＰにより、液晶表示パネルＬＣＤの裏面にバックライトユニットが固定される構成となっている。すなわち、駆動回路ＤＲやフレキシブル配線基板ＦＰＣが配置される辺と交差する２つの辺に接続用のプレートＢＰが配置され、液晶表示パネルＬＣＤの裏面にバックライトユニットが固定される構成となっている。このとき、少なくともプレートＢＰが配置される辺部では、第１基板ＳＵＢ１の裏面側に貼り付けされる偏光板ＰＯＬ１の辺端部が、当該第１基板ＳＵＢ１の辺端部よりも表示領域ＡＲの側に位置し、辺端部から突出しない構成となっている。すなわち、少なくともプレートＢＰが配置される辺部では、プレートＢＰと粘着層ＡＤ（粘着材）とからなる固定部材と、偏光板ＰＯＬ１の辺端部との間に空隙（ギャップ）が形成され、偏光板ＰＯＬ１と粘着層ＡＤとが接しない構成となっている。
【００２１】
（プレートの詳細構成）
以下、図２に図１のＡ−Ａ’線での断面図を示し、実施形態１の液晶表示装置における液晶表示パネルとバックライトユニットとを固定する接続用のプレートＢＰの構成について、詳細に説明する。
【００２２】
図２に示すように、実施形態１の液晶表示装置では、液晶表示パネルＬＣＤの側壁面（周側面，側面）すなわち第１基板ＳＵＢ１及び第２基板ＳＵＢ２の側壁面と、バックライトユニットＢＵの側壁面（周側面，側面）とが、プレート（板状部材）ＢＰと該プレートＢＰの一方の面に塗布される粘着層ＡＤとからなる固定部材で固定される。すなわち、実施形態１の構成では、液晶表示装置を形成する液晶表示モジュールの構成部材の内で、液晶表示パネルＬＣＤとバックライトユニットＢＵとを固定する際に、液晶表示パネルＬＣＤとバックライトユニットＢＵとを側壁面で保持すると共に、その保持をプレートＢＰと粘着層ＡＤとで行う構成となっている。
【００２３】
実施形態１のバックライトユニットＢＵの構成は、従来のバックライトユニットＢＵと同様に、導光板ＬＧや光学シートＯＳを取り囲むようにして、枠体状のモールド部材ＭＤが配置されている。また、モールド部材ＭＤの上面（Ｚ２側の面）には、遮光性能を有すると共に、モールド部材ＭＤの側に粘着材が塗布される枠体状の遮光テープＢＭが貼り付けされ、バックライトユニットＢＵの端部からバックライト光が漏れることを防止する構成となっている。従って、枠体状の遮光テープＢＭの内周側は、従来の両面テープＴＰと同様に、光学シートＯＳの端部をも覆う構成となっている。なお、遮光テープＢＭを用いない構成であってもよい。
【００２４】
また、導光板ＬＧの裏面側には外形寸法がモールド部材ＭＤと略同等に形成される周知の反射シートＲＦが配置される。モールド部材ＭＤの裏面（Ｚ１側の面）と反射シートＲＦとが重なる部分との間には、遮光性能を有する両面テープＴＰが貼り付けられ、反射シートＲＦの周縁部をモールド部材ＭＤの裏面に固定すると共に、光漏れを防止する構成となっている。ただし、導光板ＬＧは図示しない光源からの光を面状の光に変換する周知の導光板であり、光学シートＯＳは周知のプリズムシートや拡散シート等の複数枚の光学シートを重ねて構成され、反射シートＲＦは周知の反射シートである。
【００２５】
この構成からなる実施形態１の固定構造では、液晶表示パネルＬＣＤとバックライトユニットＢＵとのそれぞれの側壁面を接着面（図中にＡＴ１，ＡＴ２で示す側壁部分）とし、この側壁面に粘着層ＡＤを介してプレートＢＰを粘着し、液晶表示パネルＬＣＤとバックライトユニットＢＵとを固定する構造となっている。すなわち、バックライトユニットＢＵの最外周に配置されるモールド部材ＭＤと、液晶表示パネルＬＣＤを構成する第１基板ＳＵＢ１及び第２基板ＳＵＢ２とのそれぞれの側壁面を接着面とする。この側壁面に粘着層ＡＤによりプレートＢＰを粘着し、第１基板ＳＵＢ１及び第２基板ＳＵＢ２とモールド部材ＭＤとを側壁面側すなわち外周面側より固定する構造となっている。このように、本発明の実施形態１の固定構造では、モールド部材ＭＤの上面（液晶表示パネルＬＣＤの側の面）と液晶表示パネルＬＣＤの裏面との何れもが固定箇所として用いられない構成となっている。
【００２６】
従って、本発明の実施形態１の液晶表示装置では、液晶表示パネルＬＣＤの額縁領域が狭くなり、液晶表示パネルＬＣＤとモールド部材ＭＤとを固定する、図９に示すような両面テープＴＰを配置する領域が確保できなくなっても、プレートＢＰによって液晶表示パネルＬＣＤとモールド部材ＭＤとを固定することが可能となる。その結果、従来の固定構造に比較して、実施形態１の固定構造では額縁領域幅を大幅に縮小させることが可能となる。
【００２７】
このとき、プレートＢＰを形成する材料部材は、特に限定されることはなく、例えば、周知のＰＥＴ及びポリカーボネート等の樹脂部材や、ガラスエポキシ等を含有する材料等の金属を除く材料を用いることが可能である。
【００２８】
また、実施形態１の固定構造では、振動等の印加に伴う液晶表示装置の上下動による、液晶表示パネルＬＣＤ及びバックライトユニットＢＵのＺ１方向及びＺ２方向へのガタツキや位置ずれを抑制するため、プレートＢＰは、液晶表示パネルＬＣＤとバックライトユニットＢＵとにガタツキや位置ずれが生じないよう、所望の剛性を有する材料で形成される。
【００２９】
例えば、ガラス基板を用いる第１基板ＳＵＢ１及び第２基板ＳＵＢ２は非常に大きなヤング率であるが、バックライトユニットＢＵのうち、樹脂部材で形成されるモールド部材ＭＤはヤング率が２０００Ｍｐａ程度である。従って、プレートＢＰを構成する部材は、モールド部材ＭＤよりも大きいヤング率の材料、例えばヤング率が２０００Ｍｐａ以上の材料で構成されることが好ましい。
【００３０】
図３に本発明の実施形態１の液晶表示装置における液晶表示パネル端部の断面図を示す。尚、図３は図２に示す断面図における液晶表示パネル端部の拡大断面図である。
【００３１】
図３に示すように、実施形態１の液晶表示装置では、液晶表示パネルＬＣＤ及びバックライトユニットＢＵの側壁面にプレートＢＰ及び粘着層ＡＤが形成されることとなる。このため、液晶表示装置自体の額縁領域幅Ｌ２は液晶表示パネルＬＣＤの端部から表示領域ＡＲまでの長さＬ１と、プレートＢＰの厚さＷ１及び粘着層ＡＤの厚さＷ２とを合計したＬ２＝Ｗ１＋Ｗ２＋Ｌ１となる。
【００３２】
例えば、ヤング率の大きいポリイミド系の樹脂材料でプレートＢＰを形成した場合、プレートＢＰは、厚さＷ１が０．０５ｍｍ程度であれば、液晶表示パネルＬＣＤとモールド部材ＭＤとを固定するのに十分な剛性を有することが可能となる。尚、粘着層ＡＤの厚さＷ２は０．０５ｍｍで十分な粘着力を得ることが可能である。この時、表示領域ＡＲから液晶表示パネルＬＣＤの端部までの長さＬ１が０．４ｍｍ程度（即ち図９の両面テープＴＰが配置できない長さ）だとすると、図３に示す額縁領域幅Ｌ２は、Ｌ２＝Ｗ１＋Ｗ２＋Ｌ１＝０．０５＋０．０５＋０．４＝０．５ｍｍ程度で形成されることになる。従って、プレートＢＰを用いることにより厚さＷ１の分、液晶表示装置の外形が大きくなるが、液晶表示パネルＬＣＤの図３に示すＬ１の長さが大幅に低減できるので、液晶表示装置自体の額縁領域幅Ｌ２も、図７から図９に示す従来の液晶表示装置と比較して、大幅に低減することが可能となる。
【００３３】
また、プレートＢＰの厚さＷ１が０．０５ｍｍ以上の例えば、０．１ｍｍや０．１５ｍｍ程度であっても、額縁領域幅Ｌ２が０．６ｍｍ程度であり、液晶表示装置の狭額縁化が十分実現できる。
【００３４】
以上説明したように、本願発明の実施形態１の液晶表示装置における固定構造では、液晶表示パネルＬＣＤの端面である側壁面に粘着層ＡＤを介して粘着されるプレートＢＰにより、液晶表示パネルＬＣＤとバックライトユニットＢＵとが固定される構成となるので、従来の両面テープＴＰを配置する領域が必要無くなり、液晶表示装置の大幅な狭額縁化が可能となる。
【００３５】
〈実施形態２〉
図４は本発明の実施形態２の液晶表示装置の概略構成を説明するための平面図であり、実施形態１の図１に対応する図である。ただし、実施形態２の液晶表示装置は、プレートＢＰ（粘着層ＡＤも含む）が配置される辺部を除く他の構成は、実施形態１と同様である。
【００３６】
図４に示すように、実施形態２の液晶表示装置においては、図中左側の長辺部と、該長辺部と交差する図中上側の短辺部との２つの辺部に、プレートＢＰ及び粘着層ＡＤが配置される構成となっている。尚、図中上側の該短辺部は、駆動回路ＤＲが搭載される側とは反対側の辺部である。すなわち、実施形態２の液晶表示装置においては、図中左上の角部を共有する２つの辺部に、プレートＢＰ及び粘着層ＡＤが配置される。
【００３７】
この実施形態２の液晶表示装置においては、少なくともプレートＢＰが配置された２箇所の辺部において、液晶表示パネルＬＣＤ及びバックライトユニットＢＵの側壁面が揃った構成となっている。また、この揃った側壁面に実施形態１と同様に、プレートＢＰにより、液晶表示パネルＬＣＤとバックライトユニットＢＵとが固定される構成となるので、実施形態１と同様の効果を得ることができる。
【００３８】
また、偏光板ＰＯＬ１，ＰＯＬ２はマザー基板から切り離され分割された後に、液晶表示パネルＬＣＤに、それぞれ貼り付けされることとなる。このため、さらなる挟額縁化の進展により、液晶表示パネルＰＮＬと偏光板ＰＯＬ１，ＰＯＬ２の大きさを略同一とする必要が生じた場合等においては、第２基板ＳＵＢ２に偏光板（下偏光板）ＰＯＬ１を貼り付けする際の貼り付けばらつきや大きさのばらつき等により、偏光板ＰＯＬ１の端部が第２基板ＳＵＢ２すなわち液晶表示パネルＬＣＤの端部から突出してしまう場合もある。
【００３９】
しかしながら、実施形態２の液晶表示装置では、矩形形状に形成される液晶表示装置の４辺の内で、粘着層ＡＤを介してプレートＢＰが粘着される対辺にはプレートＢＰが配置されない構成となる。従って、実施形態２の固定構造では、プレートＢＰが配置される２つの辺部を基準として偏光板ＰＯＬ１の貼り付けを行うことにより、これらのばらつきに起因する偏光板ＰＯＬ１の突出方向を図中に白抜きの矢印Ｓ１，Ｓ２で示す方向、すなわちプレートＢＰが配置されない２つの辺部とすることができる。その結果、第１基板ＳＵＢ１の端部からの偏光板ＰＯＬ１の突出に起因して、プレートＢＰの貼り付けに係る不具合を防止できる。
【００４０】
同様に、液晶表示パネルＬＣＤの外形寸法とバックライトユニットＢＵの外形寸法とのばらつきに起因し、全ての辺部において、液晶表示パネルＬＣＤの側壁面とバックライトユニットＢＵの側壁面とが揃わない場合であっても、この側壁面の揃わない辺部を図中に白抜きの矢印Ｓ１，Ｓ２で示す方向の辺部、すなわちプレートＢＰが配置されない２つの辺部の側に集約することが望ましい。その結果、液晶表示パネルＬＣＤの側壁面とバックライトユニットＢＵとの側壁面とを粘着層ＡＤを介してプレートＢＰで固定する際の不具合を防止し、安定した液晶表示パネルＬＣＤとモールド部材ＭＤとの固定が実現できる。
【００４１】
さらには、液晶表示パネルＬＣＤを形成する第１基板ＳＵＢ１及び第２基板ＳＵＢ２は、ガラス基板等の無機材料で形成され、モールド部材ＭＤは有機材料である樹脂部材で形成されることが一般的である。すなわち、プレートＢＰ及び粘着層ＡＤで固定される液晶表示パネルＬＣＤとバックライトユニットＢＵとは異なる膨張係数を有するので、温度変化に伴う長手方向及び短手方向への伸縮量も液晶表示パネルＬＣＤとバックライトユニットＢＵと異なることとなる。
【００４２】
しかしながら、実施形態２の固定構造では、プレートＢＰが配置されている辺部と対向する辺部の側では、液晶表示パネルＬＣＤとモールド部材ＭＤ（即ちバックライトユニットＢＵの一部）とが固定されない構成となるので、液晶表示パネルＬＣＤ及びバックライトユニットＢＵの温度変化に伴う伸縮を矢印Ｓ１，Ｓ２で示す方向に集約することができる。その結果、上述の伸縮量の違いに起因するプレートＢＰの剥がれ等を防止できるという格別の効果を得ることもできる。
【００４３】
以上に説明した効果により、実施形態２の液晶表示装置では、本願発明のプレートＢＰによる液晶表示パネルＬＣＤとモールド部材ＭＤとの固定に係る信頼性をさらに向上できるという格別の効果を得ることができる。
【００４４】
なお、実施形態１，２の液晶表示装置においては、２つの辺に粘着層ＡＤ及びプレートＢＰが配置する場合について説明したが、これに限定されることはない。例えば、駆動回路が搭載される辺部を除く３つの辺部、さらには駆動回路が搭載される辺部を含む全ての辺部に粘着層ＡＤ及びプレートＢＰを配置する構成であってもよい。ただし、駆動回路が搭載される辺部は、第１基板のみがバックライトユニットと揃うことができるので、他の辺部よりも粘着層ＡＤ及びプレートＢＰの、図２に示すＺ１，Ｚ２方向の大きさを他の辺部よりも小さく形成する必要がある。
【００４５】
また、実施形態１，２の液晶表示装置における固定構造は、座標入力装置（タッチパネル）用の電極等が画素内に形成されるいわゆるインセル型タッチパネルを有する液晶表示パネルや、第２基板と偏光板との間にタッチパネル用の電極等が形成されるいわゆるオンセル型タッチパネルを有する液晶表示パネルを用いる場合にも適用可能である。
【００４６】
また、実施形態１，２の液晶表示装置においては、一つの辺部の全長に亘ってプレートＢＰと粘着層ＡＤとにより、液晶表示パネルＬＣＤとバックライトユニットＢＵとを固定する場合について説明したが、これに限定されることはない。例えば、図５に示すように一つの辺部の一部にプレートＢＰを配置しても良い。また、図６に示すように一つの辺部に複数のプレートＢＰを配置しても良い。
【００４７】
以上、本発明者によってなされた発明を、前記発明の実施形態に基づき具体的に説明したが、本発明は、前記発明の実施形態に限定されるものではなく、その要旨を逸脱しない範囲において種々変更可能である。
【符号の説明】
【００４８】
ＬＣＤ……液晶表示パネル、ＳＵＢ１……第１基板、ＳＵＢ２……第２基板、
ＢＵ……バックライトユニット、ＤＲ……駆動回路、ＦＰＣ……フレキシブル配線基板
ＰＯＬ１，２……偏光板、ＬＧ……導光板、ＯＳ……光学シート、ＲＦ……反射シート
ＭＤ……モールド部材、ＴＰ……両面テープ、ＢＰ……プレート、ＡＤ……粘着材
ＢＭ……遮光テープ
【図１】
2014126685.tif 000003
【図２】
2014126685.tif 000004
【図３】
2014126685.tif 000005
【図４】
2014126685.tif 000006
【図５】
2014126685.tif 000007
【図６】
2014126685.tif 000008
【図７】
2014126685.tif 000009
【図８】
2014126685.tif 000010
【図９】
2014126685.tif 000011